(57)【要約】【課題】異形モジュールを備えた太陽光発電装置において、アンカーの数が少なくても太陽電池モジュールを安定に固定でき、施工性に優れた屋根への取り付け構造を提供する。【解決手段】太陽光発電装置は、複数のアンカーと、アンカーのアンカーボルトに固定され、第１太陽電池モジュールおよび第２太陽電池モジュールを支持する架台とを備える。架台は、第１太陽電池モジュールの下に配置される第１支持部と、第２太陽電池モジュールの下に配置される第２支持部とを有する。第２支持部は、第１支持部と連結されている。【選択図】図４
2019167746.tif 000002
【特許請求の範囲】
【請求項１】
平面視矩形状の第１太陽電池パネルを有する第１太陽電池モジュールと、
隣接辺に対して非直角に交わる斜辺を含む第２太陽電池パネルを有する第２太陽電池モジュールと、
屋根の野地板に固定される基板、および前記基板に立設したアンカーボルトを有する複数のアンカーと、
前記アンカーボルトに固定され、前記第１太陽電池モジュールおよび前記第２太陽電池モジュールを支持する架台と、
を備え、
前記架台は、前記第１太陽電池モジュールの下に配置される第１支持部と、前記第２太陽電池モジュールの下に配置される第２支持部とを有し、
前記第２支持部は、前記第１支持部と連結されているか、または前記第１支持部と前記第２支持部が一部材で構成されている、太陽光発電装置。
【請求項２】
前記第１支持部は、第１架台を有し、
前記第２支持部は、前記第１架台に連結された第２架台を有する、請求項１に記載の太陽光発電装置。
【請求項３】
前記第１架台は、前記第１太陽電池モジュールが載せられる第１架台フレームと、前記アンカーボルトが固定される第１底板、前記第１底板の周縁部に立設した第１側壁、および前記第１側壁の上端から延び、前記第１架台フレームが固定される第１固定部を含む第１ベース架台と、を有し、
前記第２架台は、前記第２太陽電池モジュールが載せられる第２架台フレームと、前記アンカーボルトが固定される第２底板、前記第２底板の周縁部に立設した第２側壁、および前記第２側壁の上端から延び、前記第２架台フレームが固定される第２固定部を含む第２ベース架台と、を有し、
前記第２側壁が、前記第１側壁と連結されている、請求項２に記載の太陽光発電装置。
【請求項４】
前記第２架台フレームは、少なくとも２つのフレーム側ボルト挿通孔を有し、
前記第２ベース架台の前記第２固定部は、前記少なくとも２つのフレーム側ボルト挿通孔に通される各ボルトを通す固定部側ボルト挿通孔を有し、
前記第２架台は、前記第２固定部の下に配置され、前記各ボルトがそれぞれ締結される少なくとも２つのネジ穴が形成されたボルト固定板をさらに有する、請求項３に記載の太陽光発電装置。
【請求項５】
前記第２架台フレームは、当該フレームを前記第２固定部に固定するためのボルトを通すボルト挿通孔が形成された下鍔と、前記第２太陽電池モジュールが載置される上鍔と、を有し、
前記上鍔には、前記ボルト挿通孔と上下方向に重なる部分に切欠きが形成されている、請求項３または４に記載の太陽光発電装置。
【請求項６】
前記第１架台は、前記屋根の軒棟方向に沿って配置される第１縦桟を有し、
前記第２架台は、前記屋根の桁方向に沿って配置され、前記第１太陽電池モジュールの下まで延びて前記第１縦桟に連結される第２横桟と、前記軒棟方向に沿って前記第２横桟の上に配置される第２縦桟と、を有する、請求項２に記載の太陽光発電装置。
【請求項７】
前記第１縦桟および前記第２横桟が、前記アンカーボルトにそれぞれ固定され、
前記第１縦桟の上に前記第１太陽電池モジュールが載置され、前記第２縦桟の上に前記第２太陽電池モジュールが載置される、請求項６に記載の太陽光発電装置。
【請求項８】
前記第２架台は、さらに、前記第２太陽電池モジュールに係合する固定金具を有し、
前記第２縦桟は、前記軒棟方向に前記固定金具をスライド可能に支持するガイド溝を有する、請求項６または７に記載の太陽光発電装置。
【請求項９】
前記第２太陽電池モジュールは、前記第２太陽電池パネルの前記斜辺に沿って設置された斜辺フレームを有し、
前記斜辺フレームは、外側に張り出した外鍔を含み、
前記第２架台は、さらに、前記斜辺フレームが載置される斜辺用架台フレームと、前記斜辺用架台フレームに立設したボルトと、前記ボルトの挿通孔が形成された板状の受け金具と、前記斜辺フレームの前記外鍔と前記受け金具とに跨って配置され、前記ボルトを用いて固定される押え金具と、を有する、請求項２〜８のいずれか１項に記載の太陽光発電装置。
【請求項１０】
前記第１架台は、前記屋根の軒棟方向に沿って配置される第１縦桟を有し、
前記第２架台は、前記屋根の軒棟方向に沿って配置される第２縦桟を有し、
前記架台は、前記屋根の桁方向に沿って前記第１縦桟および前記第２縦桟の上に配置され、前記第１太陽電池モジュールおよび前記第２太陽電池モジュールが載置される簡易横桟をさらに有する、請求項２に記載の太陽光発電装置。
【請求項１１】
前記第１縦桟および前記第２縦桟が、前記アンカーボルトにそれぞれ固定される、請求項１０に記載の太陽光発電装置。
【請求項１２】
前記第２架台は、さらに、前記第２太陽電池モジュールに係合する押え金具を有し、
前記横桟は、前記押え金具を固定するためのボルトの横桟挿通孔を有する、請求項１０または１１に記載の太陽光発電装置。
【発明の詳細な説明】
【技術分野】
【０００１】
本開示は、太陽光発電装置に関する。
【背景技術】
【０００２】
太陽光発電装置を構成する太陽電池モジュールは、太陽電池パネルと、当該パネルの端部に設置されたモジュールフレームとを備える（例えば、特許文献１参照）。特許文献１に開示されるように、太陽電池モジュールは平面視矩形形状を呈するものが一般的であるが、寄棟屋根、方形屋根等に矩形形状の太陽電池モジュールを設置すると、屋根の桁方向の端部近傍にモジュールを設置できないスペースができる。そこで、隣接辺に対して非直角に交わる斜辺を含む太陽電池パネルを有し、かかるスペースに設置可能な太陽電池モジュール（以下、「異形モジュール」という場合がある）が開発されている。異形モジュールは、斜辺部分が屋根の隅棟に沿うように配置される。
【０００３】
なお、太陽電池モジュールの屋根への取り付け構造として、野地板に固定されるアンカーおよびアンカーのボルト部分に固定される架台を用いた取り付け構造が知られている（例えば、特許文献２参照）。異形モジュールについても、アンカーを用いた取り付け構造が適用できる。
【先行技術文献】
【特許文献】
【０００４】
【特許文献１】特開２０１５−１９５６６３号公報
【特許文献２】特開２０１７−０２０２６６号公報
【発明の概要】
【発明が解決しようとする課題】
【０００５】
ところで、太陽光発電装置において、太陽電池モジュールを安定に固定しつつ、施工性を向上させることは重要な課題である。異形モジュールを備えた太陽光発電装置についても、アンカーの数を減らして施工性を向上させることが求められている。
【０００６】
本開示の目的は、異形モジュールを備えた太陽光発電装置において、アンカーの数が少なくても太陽電池モジュールを安定に固定でき、施工性に優れた屋根への取り付け構造を提供することである。
【課題を解決するための手段】
【０００７】
本開示の一態様である太陽光発電装置は、平面視矩形状の第１太陽電池パネルを有する第１太陽電池モジュールと、隣接辺に対して非直角に交わる斜辺を含む第２太陽電池パネルを有する第２太陽電池モジュールと、屋根の野地板に固定される基板、および前記基板に立設したアンカーボルトを有する複数のアンカーと、前記アンカーボルトに固定され、前記第１太陽電池モジュールおよび前記第２太陽電池モジュールを支持する架台とを備え、前記架台は、前記第１太陽電池モジュールの下に配置される第１支持部と、前記第２太陽電池モジュールの下に配置される第２支持部とを有し、前記第２支持部は、前記第１支持部と連結されているか、または前記第１支持部と前記第２支持部が一部材で構成されていることを特徴とする。
【０００８】
本開示の他の一態様である太陽光発電装置は、前記第１支持部は第１架台を有し、前記第２支持部は前記第１架台に連結された第２架台を有する。
【０００９】
本開示の他の一態様である太陽光発電装置において、前記第１架台は、前記第１太陽電池モジュールが載せられる第１架台フレームと、前記アンカーボルトが固定される第１底板、前記第１底板の周縁部に立設した第１側壁、および前記第１側壁の上端から延び、前記第１架台フレームが固定される第１固定部を含む第１ベース架台とを有し、前記第２架台は、前記第２太陽電池モジュールが載せられる第２架台フレームと、前記アンカーボルトが固定される第２底板、前記第２底板の周縁部に立設した第２側壁、および前記第２側壁の上端から延び、前記第２架台フレームが固定される第２固定部を含む第２ベース架台とを有し、前記第２側壁が前記第１側壁と連結されている。
【００１０】
本開示の他の一態様である太陽光発電装置において、前記第１架台は、前記屋根の軒棟方向に沿って配置される第１縦桟を有し、前記第２架台は、前記屋根の桁方向に沿って配置され、前記第１太陽電池モジュールの下まで延びて前記第１縦桟に連結される第２横桟と、前記軒棟方向に沿って前記第２横桟の上に配置される第２縦桟とを有する。
【００１１】
本開示の他の一態様である太陽光発電装置において、前記第１架台は、前記屋根の軒棟方向に沿って配置される第１縦桟を有し、前記第２架台は、前記屋根の軒棟方向に沿って配置される第２縦桟を有し、前記架台は、前記屋根の桁方向に沿って前記第１縦桟および前記第２縦桟の上に配置され、前記第１太陽電池モジュールおよび前記第２太陽電池モジュールが載置される簡易横桟をさらに有する。
【発明の効果】
【００１２】
本開示によれば、異形モジュールを備えた太陽光発電装置において、アンカーの数が少なくても太陽電池モジュールを安定に固定でき、施工性に優れた屋根への取り付け構造を提供できる。
【図面の簡単な説明】
【００１３】
【図１】実施形態の一例である太陽光発電装置を屋根に取り付けた状態を示す図である。
【図２】実施形態の一例であるモジュールフレームの断面図である。
【図３】実施形態の一例であるベース架台の斜視図である。
【図４】実施形態の一例である太陽光発電装置の平面図である。
【図５】図４中のＡＡ線断面の一部を示す図である。
【図６】図４中のＢＢ線断面の一部を示す図である。
【図７】実施形態の一例である架台フレームおよびその取り付け構造を示す斜視図である。
【図８】実施形態の一例である架台フレームおよびその取り付け構造を示す断面図である。
【図９】実施形態の他の一例である架台フレームおよびその取り付け構造を示す斜視図である。
【図１０】実施形態の他の一例である架台フレームおよび当該フレームを用いた太陽電池モジュールの取り付け構造を示す断面図である。
【図１１】実施形態の他の一例である架台フレームおよび当該フレームを用いた太陽電池モジュールの取り付け構造を示す斜視図である。
【図１２】実施形態の他の一例である架台フレームおよび当該フレームを用いた太陽電池モジュールの取り付け構造を示す平面図である。
【図１３】実施形態の他の一例である太陽光発電装置の平面図である。
【図１４】図１３中のＣＣ線断面図である。
【図１５】図１３中のＤＤ線断面図である。
【図１６】実施形態の他の一例である太陽光発電装置の平面図である。
【図１７】図１６中のＥＥ線断面図である。
【図１８】実施形態の他の一例である簡易横桟の斜視図である。
【図１９】図１６中のＦＦ線断面図である。
【発明を実施するための形態】
【００１４】
以下、実施形態の一例について図面を参照しながら詳細に説明する。図面は模式的に記載されたものであるから、図面に描画された構成要素の寸法などは以下の説明を参酌して判断されるべきである。なお、本明細書において「略〜」との記載は、略同一を例に説明すると、完全に同一および実質的に同一と認められる状態の両方を意味する。
【００１５】
本開示に係る太陽光発電装置は、平面視矩形状の第１太陽電池パネルを有する第１太陽電池モジュールと、隣接辺に対して非直角に交わる斜辺を含む第２太陽電池パネルを有する第２太陽電池モジュールとを備える。以下では、第１太陽電池モジュールとして、平面視長方形状の標準モジュール１１と、平面視正方形状のハーフモジュール１２とを備える太陽光発電装置１０について詳説するが、本開示に係る太陽光発電装置はハーフモジュール１２のみを備えていてもよい。また、図１に例示する太陽光発電装置１０ｘのように、第１太陽電池モジュールとして標準モジュール１１のみを用いてもよい。
【００１６】
図１は、屋根１に取り付けられた、実施形態の一例である太陽光発電装置１０，１０ｘを示す図である。屋根１は隅棟１ｃを有する寄棟屋根であるが、太陽光発電装置１０は方形屋根、切妻屋根、片流れ屋根など、他の屋根に取り付けられてもよい。例えば、太陽光発電装置１０は南側に向いた大きな屋根面に取り付けられ、太陽光発電装置１０ｘは東側および西側に向いた小さな屋根面に取り付けられる。以下では、説明の便宜上、太陽光発電装置１０およびその構成要素において、屋根１の軒棟方向に沿った方向を縦方向、屋根１の桁方向に沿った方向を横方向という場合がある。また、野地板に垂直な方向を上下方向とする。
【００１７】
図１に例示するように、太陽光発電装置１０は、平面視長方形状の太陽電池パネル１１ａを有する標準モジュール１１と、平面視正方形状の太陽電池パネル１２ａを有するハーフモジュール１２と、異形モジュール１３（第２太陽電池モジュール）とを備える。異形モジュール１３は、隣接辺に対して非直角に交わる斜辺を含む太陽電池パネル１３ａを有する。本実施形態では、平面視五角形状の太陽電池パネル１３ａ（異形モジュール１３）を例示するが、斜辺を含む第２太陽電池モジュールは五角形以外の形状であってもよい。
【００１８】
詳しくは後述するが（図３〜図６等参照）、太陽光発電装置１０は、アンカーボルト１６を有する複数のアンカー１４と、アンカーボルト１６に固定され、各太陽電池モジュールを支持する架台とを備える。即ち、各太陽電池モジュールはアンカー１４および架台を用いて屋根１に取り付けられる。架台は、標準モジュール１１およびハーフモジュール１２の少なくとも一方の下に配置される第１支持部と、異形モジュール１３の下に配置される第２支持部とを有する。そして、第２支持部は、第１支持部と連結され、第１支持部を利用して異形モジュール１３を支持する。これにより、アンカー１４の数が少なくても太陽電池モジュールを安定に固定でき、施工性に優れた屋根１への取り付け構造を実現できる。
【００１９】
以下では、第１支持部と第２支持部が別の部材で構成され、互いに連結される形態を例示するが、第１支持部と第２支持部は一部材で構成されていてもよい。太陽光発電装置は、例えば後述するベース架台２０，３０を合わせた大きさの１つのベース架台を備えていてもよい。
【００２０】
太陽光発電装置１０は、屋根１の桁方向に沿った太陽電池モジュールの列を備える。太陽電池モジュールの列の１つは、例えば３つの標準モジュール１１、１つのハーフモジュール１２、および２つの異形モジュール１３を含む。２つの異形モジュール１３は列の両端に配置される。図１に示す例では、ハーフモジュール１２を含まない列が存在する。また、太陽光発電装置１０ｘには、２つの異形モジュール１３のみで構成される列が存在する。屋根１では、軒１ａ側で桁方向長さが長く、棟１ｂ側で桁方向長さが短くなるため、屋根の桁方向に沿った太陽電池モジュールの列の長さは、屋根１の棟１ｂに近づくほど短くなる。
【００２１】
標準モジュール１１は、一般的に、長手方向が屋根１の桁方向に沿うように配置される。ハーフモジュール１２は、例えば標準モジュール１１の半分の大きさを有し、標準モジュール１１と異形モジュール１３との間に配置される。図１に示す例では、軒１ａ側の２列において、標準モジュール１１の棟側に、他の標準モジュール１１、ハーフモジュール１２、または異形モジュール１３が隣接配置されている。ハーフモジュール１２の棟側には、異形モジュール１３が隣接配置されている。なお、異形モジュール１３の棟側には他のモジュールは配置されていない。
【００２２】
太陽電池パネル１３ａ（異形モジュール１３）は、上述のように、平面視五角形状を有する。太陽電池パネル１３ａは、２つの短辺１３ｂと、各短辺１３ｂとそれぞれ直角に交わる２つの長辺１３ｃと、各短辺１３ｂとそれぞれ非直角、好ましくは鈍角に交わる斜辺１３ｄとを含む。例えば、斜辺１３ｄと各短辺１３ｂとがなす角度はいずれも約１３５°であり、各長辺１３ｃは互いに同じ長さを有し、かつ各短辺１３ｂは互いに同じ長さを有する。各長辺１３ｃは互いに直角に交わり、斜辺１３ｄは各長辺１３ｃに対して約４５°の角度で傾斜している。異形モジュール１３は、斜辺１３ｄが隅棟１ｃに沿うように屋根１に配置される。
【００２３】
太陽光発電装置１０では、斜辺１３ｄが隅棟１ｃに沿うように異形モジュール１３を配置することで、隅棟１ｃの近傍のスペースを有効活用でき、屋根１に搭載できる太陽電池モジュールの数を増やすことができる。他方、異形モジュール１３はハーフモジュール１２と比べても大きさが小さいため、アンカー１４を用いて異形モジュール１３を安定に取り付けることは容易ではない。従来公知の一般的な架台を用いた場合、異形モジュール１３を安定に支持するためには、例えば異形モジュール１３の下に４つのアンカー１４を設置する必要がある。但し、この場合、アンカー１４が異形モジュール１３の下からはみ出して屋根１の見栄えが悪くなる場合がある。
【００２４】
本実施形態では、上記第２支持部として、異形モジュール用ベース架台３０（第２ベース架台）を用いることで、アンカー１４の数を従来より少なくしても異形モジュール１３の安定な支持を可能とする。また、第２支持部が連結される上記第１支持部として、ハーフモジュール用ベース架台２０（第１ベース架台）を用いることで、太陽電池モジュールを安定に固定しつつ、さらにアンカー１４の数を減らして施工性を向上させることができる。なお、ベース架台を含む架台の詳細については後述する。
【００２５】
異形モジュール１３は、太陽電池パネル１３ａの周縁に設置された、架台への取り付けに利用されるモジュールフレーム１００（図２参照）を有する。モジュールフレーム１００は、太陽電池パネル１３ａの各長辺１３ｃに沿った縁部に設置される長辺フレームと、各短辺１３ｂに沿った縁部に設置される短辺フレームと、斜辺１３ｄに沿った縁部に設置される斜辺フレームとを含む。各フレームは、例えばアルミニウムを主成分とする金属材料を押出成形して製造される長尺状部材であって、各々の長手方向端面同士を突き合わせた状態で太陽電池パネル１３ａの周りを囲むように設置される。太陽電池パネル１１ａ，１２ａの周縁にも、異形モジュール１３と同様のモジュールフレーム１００が設置される。
【００２６】
図２は、モジュールフレーム１００の幅方向断面図である。図２に例示するように、モジュールフレーム１００は、中空の略角柱形状を呈するフレーム本体１０１と、フレーム本体１０１の上面に立設した鉤部１０２と、モジュールの外側に向かって開口した外溝１０５とを有する。また、モジュールフレーム１００は底板１０４がモジュールの内側に張り出して形成された内鍔１０６を有する。屋根１への取り付けに使用されない一部のモジュールフレーム１００は、外溝１０５、内鍔１０６を有していなくてもよい。
【００２７】
モジュールフレーム１００には、フレーム本体１０１の上面と鉤部１０２との間に太陽電池パネル１３ａの周縁を挿入可能な隙間である内溝１０３が形成される。鉤部１０２は、フレーム本体１０１の外側から上方に真っ直ぐ延び、内側に折れ曲がって断面略Ｌ字状に形成されている。また、モジュールフレーム１００は、フレーム本体１０１の下面と底板１０４との間に、架台との固定に使用される後述の固定金具を挿し込み可能な隙間である外溝１０５を有する。
【００２８】
図３〜図６は、太陽光発電装置１０を構成する架台を示す図である。図３は、互いに連結された、ハーフモジュール用ベース架台２０（以下、「ベース架台２０」とする）、および異形モジュール用ベース架台３０（以下、「ベース架台３０」とする）の斜視図である。図４は太陽光発電装置１０の平面図（太陽電池モジュールは仮想線で示す）、図５は図４中のＡＡ線断面の一部を示す図、図６は図４中のＢＢ線断面の一部を示す図である。図５に示すように、屋根１には、野地板２の上に瓦３が敷設されている。
【００２９】
図３〜図６に例示するように、太陽光発電装置１０は、ハーフモジュール１２の下に配置され当該モジュールを支持するベース架台２０と、異形モジュール１３の下に配置され当該モジュールを支持するベース架台３０とを備える。ベース架台２０にはハーフモジュール１２が載せられる第１架台フレームが、ベース架台３０には異形モジュール１３が載せられる第２架台フレームがそれぞれ固定される。即ち、ハーフモジュール１２を支持する第１架台はベース架台２０および第１架台フレームを有し、異形モジュール１３を支持する第２架台はベース架台３０および第２架台フレームを有する。
【００３０】
本実施形態では、第１および第２架台フレームとして、架台フレーム４０を用いる。ベース架台２０，３０には複数の架台フレーム４０が固定されるが、各々の長さは同じであってもよく、異なっていてもよい。図４に示す例では、ベース架台２０に４つの架台フレーム４０が、ベース架台３０に３つの架台フレーム４０がそれぞれ取り付けられている。ベース架台３０の斜辺部分に取り付けられる架台フレーム４０は、他の架台フレーム４０よりも長さが長くなっている。架台フレーム４０は、その長手方向が軒棟方向に沿うように配置される。
【００３１】
ベース架台２０，３０は、野地板２に固定されるアンカー１４のアンカーボルト１６に固定される。アンカー１４は、野地板２に固定される基板１５と、基板１５に立設したアンカーボルト１６とを有する。基板１５は、複数の貫通孔を有し、当該貫通孔に挿通されるネジ１９を用いて野地板２に固定される。アンカーボルト１６は、基板１５の上面中央部に、基板１５の上面に対して垂直に設けられる。
【００３２】
図５に示すように、野地板２の上に敷設された複数の瓦３の一部には、アンカーボルト１６を通す貫通孔４が形成されている。そして、アンカーボルト１６の貫通孔４から上方に突出した部分に、ベース架台２０，３０が固定される。貫通孔４とアンカーボルト１６の隙間、および貫通孔４の周囲には、瓦３の下に雨水等が浸入することを防止するため、シール部材１８が設けられる。アンカー１４を設置する際には、瓦３を取り外して加工する必要があるため、アンカー１４の数を減らすことができれば、太陽光発電装置１０の施工性が大きく向上する。
【００３３】
ベース架台２０は、アンカーボルト１６が固定される底板２１と、底板２１の周縁部に立設した側壁２２ａ，２２ｂと、側壁２２ａの上端から延び、架台フレーム４０が固定される固定部２３とを有する。ベース架台２０は、例えば鋼材、アルミニウムまたはアルミニウム合金等の金属で構成され、側壁２２ａ，２２ｂおよび固定部２３は当該架台を構成する金属板を曲げ加工して形成される（ベース架台３０についても同様）。
【００３４】
ベース架台２０は、平面視矩形状を呈し、ハーフモジュール１２と略同じか、やや小さな寸法を有する。或いは、ベース架台２０はハーフモジュール１２の半分程度の大きさであってもよい。ハーフモジュール１２は、ベース架台２０の全体を覆うように、即ちベース架台２０がハーフモジュール１２の下からはみ出ないように、架台フレーム４０を介してベース架台２０の上に配置される。なお、異形モジュール１３に隣接する標準モジュール１１の下には、標準モジュール１１の形状、大きさに対応したベース架台２０と同様のベース架台が設置される。当該ベース架台として、ベース架台２０を用いることも可能である。
【００３５】
底板２１は、複数の貫通孔２４が形成された平面視矩形状の板状部分である。図５に示すように、アンカーボルト１６は、複数の貫通孔２４の１つに挿通され、その先端が底板２１の上面よりも上方に突出している。底板２１は、アンカーボルト１６に締結されたナット１７ａの上に載せられ、ナット１７ｂで上から押え付けられることでアンカーボルト１６に固定される。ナット１７ａ，１７ｂの外径は、貫通孔２４の直径よりも大きいことが好ましい。ナット１７ｂは、ナット１７ａと共に底板２１を挟むように、アンカーボルト１６の底板２１の上面から突出した部分に締結される。一般的に、底板２１とナット１７ａ，１７ｂの間には、貫通孔２４の直径よりも大きな外径を有するワッシャが取り付けられる。
【００３６】
底板２１には、ベース架台２０の下に設置されるアンカー１４と同数の貫通孔２４が形成されていてもよいが、好ましくは底板２１の広い範囲に偏りなく、アンカー１４の数よりも多い貫通孔２４が形成される。底板２１には、例えば互いに同じ形状、同じ寸法を有する複数の貫通孔２４が等間隔で形成される。貫通孔２４は、アンカーボルト１６が通る形状、寸法を有していればよい。貫通孔２４の一例としては、直径がアンカーボルト１６よりも大きな円形状の貫通孔が挙げられる。底板２１の広範囲に多数の貫通孔２４を形成することで、ベース架台２０および当該架台に支持されるハーフモジュール１２の配置の自由度が向上し、太陽光発電装置１０の施工が容易になる。また、ベース架台２０の軽量化を図ることもできる。
【００３７】
側壁２２ａ，２２ｂは、底板２１の周縁に沿って設けられている。側壁２２ａ，２２ｂは、例えば底板２１に対して垂直に、かつ底板２１の全周にわたって同じ高さで形成される。側壁２２ａは屋根１の桁方向に沿って底板２１の軒側縁部および棟側縁部に形成され、側壁２２ｂは屋根１の軒棟方向に沿って底板２１の桁方向両縁部に形成される。側壁２２ａ，２２ｂは、底板２１の上面よりも上方に突出するアンカーボルト１６よりも高く形成され、当該ボルトと太陽電池モジュールとの干渉を防止すると共に、ベース架台２０を補強する。
【００３８】
固定部２３は、架台フレーム４０が固定される板状部分であって、各側壁２２ａの上端からベース架台２０の内側に張り出している。固定部２３は、横方向に長い平面視矩形状を呈し、各側壁２２ａの長手方向両端部における上端から底板２１と平行に延びる。固定部２３には、架台フレーム４０を固定するためのボルト４４を通すボルト挿通孔２５（固定部側ボルト挿通孔）が形成されている。ボルト挿通孔２５は、架台フレーム４０の設置の自由度を高めるため、横方向に長い長孔であることが好ましい。
【００３９】
固定部２３にボルト止めされる架台フレーム４０は、ベース部４１と、ベース部４１に立設した一対の鉤部４２とを有する（図６および後述の図７，８参照）。ベース部４１は、固定部２３の上に配置され、ボルト４４を用いて固定部２３に固定される。一対の鉤部４２は、ベース部４１の幅方向両端部において、ベース部４１の長手方向に沿って設けられ、架台フレーム４０の内側に開口したコの字状に形成される。架台フレーム４０には、一対の鉤部４２によって、太陽電池モジュールに係合する固定金具のガイド溝４６が形成される。
【００４０】
ベース部４１には、ボルト挿通孔４３（フレーム側ボルト挿通孔）が形成されている。ボルト挿通孔４３は、例えばベース部４１の長手方向両端部において、長手方向に長い長孔として形成される。ベース部４１には、長手方向両端部に２つずつ、合計４つのボルト挿通孔４３が形成されてもよい。図６に示す例では、ボルト４４が固定部２３の下からボルト挿通孔２５，４３に挿通され、ベース部４１の上面から突出した部分にナットが取り付けられる。
【００４１】
本実施形態において、第１架台および第２架台は、上記固定金具として、第１金具１１０、第２金具１１１、および第３金具１１２を有する。ガイド溝４６は、架台フレーム４０の長手方向全長にわたって形成され、各固定金具を軒棟方向にスライド可能に支持する。ハーフモジュール１２は、一対の鉤部４２の上に載置され、ガイド溝４６に支持される固定金具を用いて架台フレーム４０に固定される。なお、ベース部４１の幅方向中央部は上方に凸となる形状を有していてもよく、当該凸部に固定金具を位置決めするためのピン４５の挿通孔（図示せず）が形成されていてもよい。ピン４５には、例えばボルトが使用される。
【００４２】
図６に示すように、１つの架台フレーム４０には、例えばハーフモジュール１２および異形モジュール１３が載置される。そして、棟側に配置される異形モジュール１３のモジュールフレーム１００に第１金具１１０が取り付けられ、軒側に配置されるハーフモジュール１２のモジュールフレーム１００に第２金具１１１および第３金具１１２が取り付けられる。第１金具１１０および第２金具１１１は、モジュールフレーム１００の外溝１０５に挿し込まれ、第３金具１１２はモジュールフレーム１００の内鍔１０６上に張り出して当該フレームの浮き上がりを防止する。
【００４３】
ベース架台３０は、ベース架台２０と同様に、アンカーボルト１６が固定される底板３１と、底板３１の周縁部に立設した側壁３２ａ，３２ｂ，３２ｃと、架台フレーム４０が固定される固定部３３ａ，３３ｂ，３３ｃとを有する。固定部３３ａ，３３ｂ，３３ｃは、それぞれ側壁３２ａ，３２ｂ，３２ｃの上端からベース架台３０の内側に延びている。ベース架台３０は、平面視五角形状を呈し、異形モジュール１３と略同じか、やや小さな寸法を有する。異形モジュール１３は、ベース架台３０の全体を覆うように、即ちベース架台３０が異形モジュール１３の下からはみ出ないように、架台フレーム４０を介してベース架台３０の上に配置される。
【００４４】
底板３１は、複数の貫通孔３４が形成された平面視五角形状の板状部分である。底板３１は、異形モジュール１３と同様の形状を有する。底板３１には、ベース架台２０の場合と同様に、広い範囲に偏りなく、アンカー１４の数よりも多い貫通孔３４が形成される。貫通孔３４の形状、寸法、配置等は、例えば貫通孔２４と同様であり、アンカーボルト１６はナット１７ａ，１７ｂおよびワッシャを用いて底板３１に固定される。
【００４５】
側壁３２ａは底板３１の短辺に沿って、側壁３２ｂは底板３１の長辺に沿って、側壁３２ｃは底板３１の斜辺に沿って、底板３１の各縁部にそれぞれ形成される。側壁３２ａ，３２ｂ，３２ｃは、例えば底板３１に対して垂直に、かつ底板３１の全周にわたって同じ高さで形成される。図４に示すように、異形モジュール１３は、その短辺が側壁３２ａと略平行、長辺が側壁３２ｂと略平行、斜辺が側壁３２ｃと略平行な状態となるように、ベース架台３０の上に配置されることが好ましい。各側壁は、底板３１の上面よりも上方に突出するアンカーボルト１６よりも高く形成される。換言すると、各側壁の上端を超えない状態で、底板３１がアンカーボルト１６に固定される。
【００４６】
固定部３３ａは、屋根１の桁方向に沿って底板３１の棟側縁部に形成された側壁３２ａの上端から、ベース架台３０の内側に張り出している。また、固定部３３ｂは、屋根１の桁方向に沿って底板３１の軒側縁部に形成された側壁３２ｂの長手方向両端部における上端から、ベース架台３０の内側に張り出している。当該１つの固定部３３ａ、および２つの固定部３３ｂは、横方向に長い平面視矩形状を呈し、底板３１と平行に延びる。さらに、底板３１の斜辺に沿った側壁３２ｃの上端から、固定部３３ｃがベース架台３０の内側に張り出している。固定部３３ｃは、平面視三角形状を呈し、底板３１と平行に延びる。
【００４７】
固定部３３ａ，３３ｂ，３３ｃには、ボルト４４を通すボルト挿通孔３５（固定部側ボルト挿通孔）が形成されている。ボルト挿通孔３５はいずれも、横方向に長い長孔である。図４に示す例では、固定部３３ａおよび固定部３３ａと軒棟方向に並ぶ固定部３３ｂに、別個の架台フレーム４０が１つずつ固定されている。他方、固定部３３ｃと、もう１つの固定部３３ｂとの距離は近いため、固定部３３ｂ，３３ｃには各々に跨って１つの架台フレーム４０が固定されている。なお、固定部３３ｂ，３３ｃは軒棟方向に並んでいる。
【００４８】
ベース架台３０には、アンカーボルト１６と干渉しない位置に、底板３１を補強するＬ字アングル３６（図３参照）が設けられてもよい。図３に示す例では、２つのＬ字アングル３６が底板３１の上面に固定されている。なお、Ｌアングル３６は、ベース架台２０に設けられてもよい。
【００４９】
ベース架台２０，３０は、上述のように、互いに連結されている（図３，４参照）。本実施形態では、ベース架台２０の側壁２２ｂと、ベース架台３０の側壁３２ｂとが互いに接触した状態で桁方向に隣接配置され、側壁２２ｂ，３２ｂが連結ボルト３７および連結ナット３８を用いて結合される。このため、ベース架台２０，３０は１つの大きなベース架台として機能し、３つのアンカー１４を用いて安定に支持できる。側壁２２ｂ，３２ｂには、複数の連結ボルト３７が取り付けられることが好ましく、連結ボルト３７が挿通されるボルト挿通孔（図示せず）が複数形成されている。
【００５０】
ベース架台２０，３０は、例えば溶接等により連結されていてもよいが、施工、運搬、保管等を考慮すると、ボルト等を用いて互いに分離可能に連結されていることが好ましい。ベース架台２０，３０の連結または分離は、屋根１の上で行うこともできる。連結ボルト３７は、側壁２２ｂ，３２ｂの長手方向（軒棟方向）に間隔をあけて少なくとも２つ以上締結される。図４に示す例では、３つの連結ボルト３７が軒棟方向に等間隔で並んで取り付けられている。
【００５１】
本実施形態では、ベース架台２０の底板２１に２つのアンカー１４が、ベース架台３０の底板３１に１つのアンカー１４がそれぞれ固定されている。即ち、ベース架台２０，３０、および当該架台の上に配置される２つの太陽電池モジュールは、３つのアンカー１４で安定に支持されている。一方、ベース架台２０，３０を連結しない場合、或いはベース架台２０を使用しない場合は、ベース架台３０を少なくとも３つのアンカー１４で支持する必要がある。このように、太陽光発電装置１０によれば、アンカー１４の数を削減することが可能であり、施工性が大幅に向上する。
【００５２】
ベース架台２０には、例えば底板２１の軒側端部（縦方向一端部）においてベース架台３０と反対側に位置する横方向一端部に１つ、底板２１の棟側端部（縦方向他端部）において横方向中央部に１つ、合計２つのアンカー１４が固定される。底板２１の軒側に固定されるアンカー１４は、底板２１の横方向中央と横方向一端との間に配置されていればよく、底板２１の棟側に固定されるアンカー１４は、底板２１の横方向中央と横方向他端との間に配置されていればよい。
【００５３】
ベース架台３０には、例えば底板３１の軒側端部（縦方向一端部）において横方向中央部に１つのアンカー１４が固定される。底板３１に固定されるアンカー１４は、底板３１の縦方向中央と縦方向一端との間で、かつ底板３１の横方向中央と横方向他端との間に配置されていればよい。ベース架台２０，３０が連結されることで、底板３１に固定されるアンカー１４を１つとすることができる。
【００５４】
図７および図８は、架台フレーム４０および当該フレームを固定部３３ａに取り付ける構造の一例を示す図である。なお、図７および図８に例示するボルト固定板４７を用いた架台フレーム４０の取り付け構造は、ベース架台２０の固定部を含む他の固定部にも適用でき、また図９に例示するように架台フレームの種類を変更した場合にも適用できる。
【００５５】
図７および図８に例示するように、ベース架台３０を有する第２架台は、架台フレーム４０を固定するためのボルト４４が締結されるボルト固定板４７を有していてもよい。ボルト固定板４７を用いることで、ボルト４４の固定が容易になり施工性が向上する。ボルト固定板４７は、ベース架台２０を有する第１架台に用いることもできる。上述のように、架台フレーム４０は少なくとも２つのボルト挿通孔４３を有し、固定部３３ａはボルト挿通孔４３に挿通される各ボルト４４を通すボルト挿通孔３５を有する。ボルト挿通孔４３は、ベース部４１の長手方向両端部において上記凸部の幅方向両側に１つずつ、合計４つ形成される。ボルト挿通孔３５は、ボルト挿通孔４３の長手方向と直交する横方向に長い長孔である。
【００５６】
ボルト固定板４７には、少なくとも２つのネジ穴４８が形成されている。本実施形態では、長円形状または長方形状の金属製のボルト固定板４７に、板の長手方向に所定の間隔をあけて２つのネジ穴４８が形成されている。当該所定の間隔は、ベース部４１の幅方向に並んで形成された２つのボルト挿通孔４３の間隔と同じである。ネジ穴４８は、例えばボルト固定板４７を構成する金属板をバーリング加工し、加工部の内周面にネジを切って形成される。
【００５７】
ボルト固定板４７は、２つのネジ穴４８がボルト挿通孔３５と上下方向に重なるように、固定部３３ａの下に配置される。なお、３つの孔（ボルト挿通孔３５，４３、ネジ穴４８）が上下方向に重なり、固定部３３ａを上下から挟むように、架台フレーム４０およびボルト固定板４７が設けられる。ボルト固定板４７の大きさは特に限定されないが、ボルト固定板４７の幅は、固定部３３ａの幅と略同じか、やや小さい程度であることが好ましい。ボルト固定板４７は、ベース架台３０の側壁３２ａとの間に略隙間なく配置されることが好適である。
【００５８】
図６に示すように、ボルト固定板４７を用いない場合は、固定部３３ａの下からボルト挿通孔３５，４３にボルト４４を通し、ボルト４４の頭をスパナで固定して、ボルト４４の共回りを防止しながらナットを所定のトルクで締め付ける必要がある。この際、ボルト４４の頭の向き合わせを手探りで行わなければならず、またスパナを差し込む空間も狭いので、作業性が良いとは言えない。ベース架台３０には、４箇所の固定部にそれぞれ２本のボルト４４を用いて架台フレーム４０を固定するので、当該作業を８回行う必要がある。
【００５９】
図７および図８に示すように、ボルト固定板４７を用いた場合は、２つのネジ穴４８にボルト４４をある程度止め付けることで、共回りが生じ得るトルクになっても一方のボルト４４が回転を防止する。このため、固定部３３ａの下にスパナを差し込んで、ボルトまたはナットを固定するような作業は不要となる。したがって、ボルト固定板４７を用いることで、ボルト４４の固定が容易になり、さらに施工性が向上する。
【００６０】
また、ボルト固定板４７の幅が、固定部３３ａの幅と略同じか、やや小さい程度であれば、１本のボルト４４を一方のネジ穴４８に止め付ける際に、ボルト固定板４７が回転したとしても、固定板がベース架台３０の側壁３２ａに当たって回転が規制される。即ち、ベース架台３０の側壁３２ａとの間に略隙間のない大きさのボルト固定板４７を用いることで、もう一方のネジ穴４８の位置が大きく移動せず、所望の位置にボルト固定板４７を配置することが容易になる。この場合、１本のボルト４４を完全に止め付けた後、もう１本のボルト４４を止め付けることも可能である。
【００６１】
図９および図１０は、実施形態の他の一例である架台フレーム５０および当該フレームを固定部３３ａに取り付ける構造の一例を示す図である。なお、架台フレーム５０は、ベース架台２０の固定部を含む他の固定部にも取り付けることができる。即ち、架台フレーム５０は、第１架台フレームおよび第２架台フレームとして使用できる。
【００６２】
図９および図１０に例示するように、架台フレーム５０は、当該モジュールを固定部３３ａに固定するためのボルト４４を通すボルト挿通孔５５が形成された下鍔５３と、異形モジュール１３が載置される上鍔５４とを有する。また、架台フレーム５０は、フレームの幅方向中央部に、下鍔５３と上鍔５４を連結するベース部５１を有する。ベース部５１は、下鍔５３および上鍔５４に対して垂直に形成された一対の壁部５１ａと、一対の壁部５１ａを連結する連結部５１ｂとを含み、側面視略Ｈ形状を有する。ベース部５１、下鍔５３、および上鍔５４は、架台フレーム５０の全長にわたって形成される。
【００６３】
架台フレーム５０では、下鍔５３が各壁部５１ａの下端からフレームの幅方向外側にそれぞれ張り出し、上鍔５４が各壁部５１ａの上端からフレームの幅方向外側にそれぞれ張り出している。また、各壁部５１ａから外側に張り出した２つの上鍔５４は、互いの間に所定の隙間をあけて架台フレーム５０の幅方向内側にも張り出している。即ち、上鍔５４の一部は連結部５１ｂの上方に張り出す。当該所定の間隔は、ボルト１３１の軸の直径より大きく、ボルト１３１の頭より小さく設定される。下鍔５３および上鍔５４の幅は、同じであってもよく、異なっていてもよい。図９に示す例では、下鍔５３の幅が上鍔５４の幅より長くなっている。
【００６４】
架台フレーム５０には、連結部５１ｂと上鍔５４との間に、ボルト１３１が上に抜けない状態でフレームの長手方向にスライド可能に支持するボルトガイド溝５２が形成される。ボルト１３１は、上鍔５４の上面に載置される異形モジュール１３に係合する押え金具１３０を固定するためのボルトである。ボルト１３１は、軸が上鍔５４の上面より上方に突出し、上下方向に沿って立つように、ボルトガイド溝５２に頭が挿入される。
【００６５】
下鍔５３には、上述のように、ボルト挿通孔５５が形成される。ボルト挿通孔５５は、各壁部５１ａから外側に張り出した２つの下鍔５３のそれぞれに形成される。当該２つのボルト挿通孔５５は、架台フレーム５０の幅方向に並んで配置される。ボルト挿通孔５５は、架台フレーム５０の長手方向に長い長孔であることが好ましい。架台フレーム５０は、ボルト挿通孔５５と、固定部３３ａのボルト挿通孔３５とが上下方向に重なり、各孔の長手方向が直交する状態で固定部３３ａの上に配置される。
【００６６】
上鍔５４には、ボルト挿通孔５５と上下方向に重なる部分に切欠き５６が形成されている。上鍔５４は下鍔５３の上方に張り出しているので、切欠き５６が存在しない場合は、ボルト挿通孔５５にボルト４４を通す際に上鍔５４が邪魔になる。ボルト挿通孔５５と干渉する位置に切欠き５６を形成することで、ボルト４４の取り付けが容易になり施工性が向上する。
【００６７】
切欠き５６は、上鍔５４のボルト挿通孔５５と重なる部分を外側からコの字状に切除して形成される。切欠き５６の長さは、例えばボルト挿通孔５５の長さと同じか、やや長いが、ボルト挿通孔５５の長さより短くてもよい。即ち、ボルト５５の取り付けに支障がない範囲で、ボルト挿通孔５５の上方の一部に上鍔５４が存在してもよい。図９に示す例では、２つのボルト挿通孔５５が架台フレーム５０の幅方向に並んで形成されるので、切欠き５６は架台フレーム５０の幅方向に並んで２つ形成される。
【００６８】
なお、ボルト４４は、例えば下鍔５３の上からボルト挿通孔５５に挿通されるが、下鍔５３の下からボルト挿通孔５５に挿通されてもよい。ボルト４４は、ナットを用いて固定されてもよく、上述のボルト固定板４７を用いて固定されてもよい。
【００６９】
図１０は、ハーフモジュール１２と異形モジュール１３の境界位置における取り付け構造を示している。図１０に示すように、架台フレーム５０および押え金具１３０を用いてハーフモジュール１２および異形モジュール１３を固定する場合は、外鍔１２４を有するモジュールフレーム１２０が用いられる。モジュールフレーム１２０は、図２に示すモジュールフレーム１００と同様に、中空の略角柱形状を呈するフレーム本体１２１と、フレーム本体１２１の上面に立設した鉤部１２２と、太陽電池パネルの周縁を挿入可能な内溝１２３とを有する。一方、モジュールフレーム１２０には、外側に張り出した外鍔１２４が設けられる。
【００７０】
ハーフモジュール１２および異形モジュール１３は、架台フレーム５０に立設したボルト１３１を挟むように上鍔５４の上に配置される。ボルト１３１は、ナット１３２ａを用いてボルトガイド溝５２に沿ってスライドしないように固定される。押え金具１３０は、略Ｕ字形状の金具であって、ボルト１３１を通す貫通孔１３０ａを有する。押え金具１３０は、ハーフモジュール１２の外鍔１２４および異形モジュール１３の外鍔１２４に跨るように配置され、ボルト１３１のナット１３２ａよりも上に位置する部分に取り付けられるナット１３２ｂによってボルト１３１に固定される。各モジュールの外鍔１２４は、押え金具１３０によって上から上鍔５４の上面に押え付けられる。
【００７１】
図１１および図１２は、太陽電池パネル１３ａの斜辺に沿って設置される斜辺フレームとしてモジュールフレーム１２０を用いた場合の架台フレーム５０に対する異形モジュール１３の取り付け構造の一例を示す図である。
【００７２】
図１１および図１２に例示するように、異形モジュール１３を支持する第２架台は、斜辺フレームであるモジュールフレーム１２０が載置される架台フレーム５０（斜辺用架台フレーム）と、架台フレーム５０に立設したボルト１３１とを有する。なお、斜辺用架台フレームは、異形モジュール１３を支持でき、かつ軸が上方を向いた状態でボルト１３１を固定できるものであればよく、架台フレーム５０に限定されない。
【００７３】
第２架台は、さらに、モジュールフレーム１２０に沿うように架台フレーム５０の上に配置される板状の受け金具１４０と、押え金具１３０とを有する。受け金具１４０には、ボルト１３１の挿通孔１４１が形成されている。押え金具１３０は、ボルト１３１を用いて架台フレーム５０に固定され、モジュールフレーム１２０の外鍔１２４と受け金具１４０とに跨って配置される。受け金具１４０を用いることで、押え金具１３０を安定に取り付けることができ、斜辺部分の取り付け構造の見栄えが向上する。
【００７４】
上述の通り、異形モジュール１３の棟側には他の太陽電池モジュールが配置されないので、図１０に示すように押え金具１３０は２つのモジュールの外鍔１２４に跨って配置することができない。このため、受け金具１４０がないと、押え金具１３０が傾いた状態で固定されることになる。具体的には、押え金具１３０の４つの角部には突起１３０ｂが形成されているため、突起１３０ｂがボルトガイド溝５２に落ち込み、２つの突起１３０ｂの間の部分がボルトガイド溝５２の縁部に接触した状態で押え金具１３０が固定される。この場合、２つの突起１３０ｂが対称にフレーム等に接触する場合と比べて、見かけ上、不安定な印象を与える。受け金具１４０を設けることで、かかる不具合を解消できる。
【００７５】
受け金具１４０は、押え金具１３０が当接する外鍔１２４の厚みと略同じ厚みと、押え金具１３０の２つの突起１３０ｂが当接可能な大きさ（面積）とを有することが好ましい。受け金具１４０は、例えば一方の上鍔５４の幅方向外端から他方の上鍔５４の幅方向外端にわたる大きさを有し、ボルトガイド溝５２の開口を覆う。これにより、突起１３０ｂがボルトガイド溝５２に落ち込むことなく、２つの突起１３０ｂが受け金具１４０に当接した安定な状態で押え金具１３０を取り付けることができる。なお、押え金具１３０はナット１３２ａ，１３２ｂを用いてボルト１３１に固定される。
【００７６】
受け金具１４０には、ボルトガイド溝５２と重なる部分に挿通孔１４１が形成される。換言すると、挿通孔１４１がボルトガイド溝５２と重なるように、受け金具１４０が架台フレーム５０上に配置される。また、受け金具１４０は、外鍔１２４に沿って当接可能な斜辺１４２を有し、斜辺１４２がモジュールフレーム１２０に沿うように配置されることが好ましい。受け金具１４０は、隣接辺に対して非直角に交わる斜辺１４２を含む平面視四角形状を有する。斜辺１４２を形成することで、受け金具１４０の配置が容易になり、また後述する共回り防止にも寄与する。
【００７７】
図１２に例示するように、受け金具１４０には、ピン挿通孔１４３が形成されていてもよい。ピン挿通孔１４３は、ボルトガイド溝５２と重なる部分に形成される。ボルト１３１にナットを止め付ける際に、ピン挿通孔１４３に回転防止ピンを差し込んでおくことで、受け金具１４０の共回りを防止できる。
【００７８】
以下、図１３〜図１９を参照しながら、実施形態の他の一例である太陽光発電装置１０ｙ，１０ｚについて詳説する。太陽光発電装置１０ｙ，１０ｚは、異形モジュール１３（第２太陽電池モジュール）の下に配置される第２架台が、第１太陽電池モジュールの下に配置される第１架台と連結され、第１架台を利用して異形モジュール１３を支持する点で、上記実施形態と共通する。一方、太陽光発電装置１０ｙ，１０ｚは、ベース架台を有さない点で、上記実施形態と異なる。以下では、上記実施形態と同様の構成要素には同じ符号を用いて重複する説明を省略し、上記実施形態との相違点を主に説明する。
【００７９】
太陽光発電装置１０ｙ，１０ｚは、標準モジュール１１およびハーフモジュール１２の少なくとも一方と、異形モジュール１３とを備える。また、太陽光発電装置１０ｙ，１０ｚは、アンカーボルト１６を有するアンカー１４と、アンカーボルト１６に固定され、各太陽電池モジュールを支持する架台とを備える。架台は、標準モジュール１１および／またはハーフモジュール１２の下に配置される第１架台と、異形モジュール１３の下に配置される第２架台とを含む。太陽光発電装置１０ｙ，１０ｚにはベース架台が設けられないため、その分の架台重量およびコストの低減を図ることができる。
【００８０】
図１３および図１４に例示するように、太陽光発電装置１０ｙにおいて、ハーフモジュール１２を支持する第１架台は、屋根１の軒棟方向に沿って配置される第１縦桟６０を有する。異形モジュール１３を支持する第２架台は、屋根１の桁方向に沿って配置され、ハーフモジュール１２の下まで延びて第１縦桟６０に連結される横桟７０（第２横桟）と、軒棟方向に沿って横桟７０の上に配置される第２縦桟６５Ｂとを有する。図１３に示す例では、異形モジュール１３の横にハーフモジュール１２が配置された場合の構成を示すが、異形モジュール１３の横に標準モジュール１１が配置された場合も、図１３に例示する構成と同様の構成を適用できる。
【００８１】
太陽光発電装置１０ｙでは、第１縦桟６０および横桟７０が、アンカーボルト１６にそれぞれ固定される。そして、第１縦桟６０の上にハーフモジュール１２が載置され、第２縦桟６５Ｂの上に異形モジュール１３が載置される。第２縦桟６５Ｂは横桟７０の上に配置されているので、異形モジュール１３の重量は第２縦桟６５Ｂを介して横桟７０に支持されているといえる。また、横桟７０は第１縦桟６０に連結されているため、異形モジュール１３の重量の一部は横桟７０を介して第１縦桟６０に作用し、第１縦桟６０によって支持される。
【００８２】
ハーフモジュール１２は、２本の第１縦桟６０によって支持されることが好ましい。第１縦桟６０は、ハーフモジュール１２の横方向両側において互いに平行に配置される。１本の第１縦桟６０は、少なくとも２つのアンカー１４で支持される。アンカー１４は、例えば第１縦桟６０の長手方向両端部またはその近傍に１つずつ固定される。第１縦桟６０は、ハーフモジュール１２の棟側に配置される異形モジュール１３の下まで延びていてもよく、異形モジュール１３の軒側端部が第１縦桟６０によって支持されてもよい。
【００８３】
第１縦桟６０は、下フレーム６１と、上フレーム６５Ａとで構成されていてもよい。第１縦桟６０は、長尺状の下フレーム６１の上部に、下フレーム６１より短い上フレーム６５Ａが固定された構造を有する。下フレーム６１は、材料コスト削減等のため、鋼鉄を主成分とする金属材料で構成されることが好ましい。他方、上フレーム６５Ａは、成形性、軽量性等の観点から、アルミニウムを主成分とする金属材料で構成されることが好ましい。上フレーム６５Ａは、ハーフモジュール１２が載せられる部分だけに設置されていればよい。
【００８４】
図１５（図１３中のＤＤ線断面図）に例示するように、下フレーム６１は、アンカーボルト１６に固定される底板６２と、底板６２に立設する一対の側壁６３とを有する。底板６２には、アンカーボルト１６が挿通される貫通孔（図示せず）が複数形成されている。また、下フレーム６１は、各側壁６３の上端部を内側に折り曲げて形成された一対の支持部６４を有する。支持部６４は、側壁６３の剛性を高め、また上フレーム６５Ａが引っ掛かる鉤部として機能し、下フレーム６１と上フレーム６５Ａの結合力を強くする。
【００８５】
上フレーム６５Ａは、下フレーム６１に載せられる板状のベース部６６Ａと、各側壁６３にそれぞれ固定される一対の脚部６７Ａと、ベース部６６Ａの上面に立設した一対の鉤部６８Ａとを有する。各脚部６７Ａは、ベース部６６Ａの下面から下方に延び、支持部６４を含む側壁６３の内面に沿った形状を有する。上フレーム６５Ａは、各脚部６７Ａが各支持部６４の下に回り込むことで下フレーム６１に引っ掛けられ、各脚部６７Ａがネジ６９を用いて各側壁６３に固定される。各鉤部６８Ａは、ベース部６６Ａの幅方向両端から上方に真っ直ぐ延び、途中で内側に折れ曲がって断面略Ｌ字状に形成されている。
【００８６】
上フレーム６５Ａには、ハーフモジュール１２に係合する固定金具が取り付けられる。上フレーム６５Ａには、ベース部６６Ａと一対の鉤部６８Ａとの間に、固定金具をフレームの長手方向（軒棟方向）にスライド可能に支持するガイド溝が形成される。ハーフモジュール１２は、一対の鉤部６８Ａの上に載置され、ガイド溝に支持される固定金具を用いて上フレーム６５Ａに固定される。なお、固定金具には、太陽光発電装置１０の場合と同様に、第１金具１１０、第２金具１１１、および第３金具１１２を用いることができる。
【００８７】
図１４に例示するように、異形モジュール１３は、２本の横桟７０によって支持されることが好ましい。横桟７０は、異形モジュール１３の軒棟方向両側において互いに平行に配置される。軒側に配置される横桟７０の長さは、棟側に配置される横桟７０の長さよりも長い。なお、２本の横桟７０はいずれも、異形モジュール１３の下からはみ出さないように配置されている。
【００８８】
図１４に示す例では、横桟７０の長手方向一端部が第１縦桟６０の下フレーム６１に連結され、横桟７０の長手方向他端部またはその近傍にアンカー１４が固定されている。横桟７０を第１縦桟６０に連結することで、１本の横桟７０を１つのアンカー１４で支持することが可能となる。従来の一般的な縦桟方式の架台を用いた場合、異形モジュール１３の下には、少なくとも３つ、好ましくは４つのアンカー１４が設置されるが、第１縦桟６０に連結された横桟７０を用いることで、アンカー１４の数を減らして施工性を向上させることができる。
【００８９】
横桟７０の上に配置される第２縦桟６５Ｂは、異形モジュール１３の横方向両側において互いに平行に配置される。ハーフモジュール１２側の一方の第２縦桟６５Ｂは、２本の横桟７０に跨って配置され、異形モジュール１３の軒棟方向両端を超える位置まで延びて当該モジュールの軒側端部および棟側端部を支持する。第２縦桟６５Ｂに対する異形モジュール１３の固定には、例えば上記固定金具が使用される。ハーフモジュール１２と反対側のもう一方の第２縦桟６５Ｂは、一方の第２縦桟６５Ｂよりも短く、軒側の１本の横桟７０の上に配置され、異形モジュール１３の軒側端部および斜辺部分を支持する。
【００９０】
第２縦桟６５Ｂは、上フレーム６５Ａと同様に、板状のベース部６６Ｂと、ベース部６６Ａの上面に立設した一対の鉤部６８Ｂとを有する。また、ベース部６６Ｂと一対の鉤部６８Ｂとの間に、固定金具を第２縦桟６５Ｂの長手方向（軒棟方向）にスライド可能に支持するガイド溝が形成される。一方、第２縦桟６５Ｂに脚部は存在しない。
【００９１】
第２縦桟６５Ｂは横桟７０に直接固定されてもよいが、図１４に示す例では、第２縦桟６５Ｂはジョイント金具７７を介して横桟７０に固定されている。第２縦桟６５Ｂとジョイント金具７７は、例えば溶接されていてもよく、図示しないボルトおよびナットを用いて互いに固定されてもよい。ジョイント金具７７は、横桟７０にネジ止めされる。ジョイント金具７７は、第２縦桟６５Ｂを横桟７０に固定すると共に、第２縦桟６５Ｂと第１縦桟６０の上フレーム６５Ａの高さを揃える役割を果たす。
【００９２】
横桟７０は、アンカーボルト１６に固定される底板７１と、ジョイント金具７７を介して第２縦桟６５Ｂが載せられる天板７２と、底板７１と天板７２を連結する側壁７３とを有し、幅方向断面が略コの字状を呈する。底板７１と天板７２は互いに平行に形成され、側壁７３は底板７１および天板７２に対して垂直に形成される。底板７１には、アンカーボルト１６が挿通される貫通孔（図示せず）が形成されている。天板７２には、第２縦桟６５Ｂとジョイント金具７７を結合するボルトを通す貫通孔が形成されていてもよい。また、側壁７３の上部には、ジョイント金具７７を止め付けるネジ７７ａの挿通孔７４が横桟７０の長手方向に並んで複数形成されている。横桟７０の長手方向に挿通孔７４を複数形成することで、第２縦桟６５Ｂの配置の自由度が向上する。
【００９３】
横桟７０は、第１縦桟６０の下フレーム６１に係合する係合部７５を有する。太陽光発電装置１０ｙでは、横桟７０の長手方向一端部に形成された係合部７５が下フレーム６１に引っ掛けられ側壁６３に固定されることで、横桟７０が第１縦桟６０に連結される。係合部７５は、例えば横桟７０の底板７１を天板７２および側壁７３よりも長手方向に延出させ、当該延出部を略Ｕ字状に曲げ加工して形成される。
【００９４】
係合部７５は、下フレーム６１の側壁６３の外面および支持部６４の上面に沿って当接可能な形状を有する。係合部７５は、支持部６４の内端に対応する位置で下方に折れ曲がり、側壁６３と略平行に下フレーム６１の内側（底板６２側）に延びる。係合部７５の下フレーム６１の内側に延びた部分と、側壁６３との間には、支持部６４の長さに相当する厚みのスペーサ７６を設けることが好ましい。下フレーム６１に引っ掛けられた係合部７５は、スペーサ７６と共に、ボルト７８およびナット７９を用いて側壁６３に固定される。
【００９５】
上述のように、太陽光発電装置１０ｙでは、ハーフモジュール１２を支持する第１縦桟６０に連結された横桟７０を用いて異形モジュール１３を支持する構造とすることで、異形モジュール１３の下に設置するアンカー１４の数を２つにすることができる。これにより、従来の一般的な縦桟方式の架台を用いて異形モジュール１３を取り付ける場合と比べて、アンカー１４の数を削減することが可能であり、施工性が大幅に向上する。
【００９６】
図１６に例示するように、太陽光発電装置１０ｚにおいて、第１架台および第２架台は、屋根１の軒棟方向に沿って配置される縦桟８０Ａ，８０Ｂ，８０Ｃをそれぞれ有する。ここで、縦桟８０Ａは標準モジュール１１の下のみに配置される第１縦桟、縦桟８０Ｂは異形モジュール１３の下のみに配置される第２縦桟をそれぞれ意味する。縦桟８０Ｃは、第１縦桟および第２縦桟の両方に分類される縦桟を意味する。縦桟８０Ｃは、軒側に配置される標準モジュール１１の軒側端部から、棟側に配置される異形モジュール１３の下まで延びており、縦桟８０Ｃの軒側部分が第１縦桟に相当し、縦桟８０Ｃの棟側部分が第２縦桟に相当する。
【００９７】
太陽光発電装置１０ｚでは、縦桟８０Ａ，８０Ｂ，８０Ｃが、アンカーボルト１６にそれぞれ固定される。また、第１架台および第２架台は押え金具１３０を有し、太陽電池モジュールは押え金具１３０によって架台に固定される。図１６に示す例では、異形モジュール１３の横に標準モジュール１１が配置された場合の構成を示すが、異形モジュール１３の横にハーフモジュール１２が配置された場合も、図１６に例示する構成と同様の構成を適用できる。
【００９８】
縦桟８０Ａ，８０Ｂ，８０Ｃは、軒棟方向に沿って互いに平行に配置される。縦桟８０Ａは、例えば軒棟方向に隣接配置される２つの標準モジュール１１を支持し、軒側の標準モジュール１１の軒側端部から棟側の標準モジュール１１の棟側端部にわたって設けられる。１つの標準モジュール１１は、横方向両側に配置された２本の縦桟８０Ａ（または縦桟８０Ａ，８０Ｃ）によって支持される。縦桟８０Ｂは、縦桟８０Ａ，８０Ｃよりも長さが短く、異形モジュール１３の横方向中央部において、当該モジュールの軒側端部から斜辺部分の近傍にわたって設けられる。縦桟８０Ｃは、縦桟８０Ｂと同様に、異形モジュール１３の横方向中央部において軒側端部から斜辺側に延びているが、第２縦桟に相当する異形モジュール１３の下に配置される部分の長さは縦桟８０Ｂより短い。
【００９９】
太陽光発電装置１０ｚにおいて、架台は、標準モジュール１１および異形モジュール１３が載置される簡易横桟９０を有する。簡易横桟９０は、屋根１の桁方向に沿って、縦桟８０Ａ，８０Ｂ，８０Ｃ（第１縦桟および第２縦桟）の上に配置される。標準モジュール１１は簡易横桟９０を介して縦桟８０Ａ等に支持され、異形モジュール１３は簡易横桟９０を介して縦桟８０Ｂ等に支持される。全ての異形モジュール１３は簡易横桟９０に載置されるが、異形モジュール１３から離れて配置される標準モジュール１１には簡易横桟９０が取り付けられない。簡易横桟９０が存在しない部分では、標準モジュール１１と縦桟８０Ａとの間にスペーサ８６が設けられる。
【０１００】
図１６に示す例において、最も軒側の簡易横桟９０は、異形モジュール１３の軒側端部を支持し、縦桟８０Ｂ（第２縦桟）と、縦桟８０Ｃの第１縦桟に相当する軒側部分とに跨って配置されている。軒側から２番目の簡易横桟９０は、軒側に配置された異形モジュール１３の棟側端部を支持し、縦桟８０Ｃの第２縦桟に相当する棟側部分と、縦桟８０Ａ（第１縦桟）とに跨って配置されている。太陽光発電装置１０ｚの棟側端部に配置される簡易横桟９０は、例えば２本の縦桟８０Ａに固定されるが、当該横桟は異形モジュール１３の棟側端部を支持する。各簡易横桟９０は、互いに平行に配置される。
【０１０１】
詳しくは後述するが、簡易横桟９０は、少なくとも縦桟８０Ａ，８０Ｂ，８０Ｃと重なる部分で押え金具１３０を用いて太陽電池モジュールに固定される。また、押え金具１３０を固定するボルト１３１等を用いて、簡易横桟９０と縦桟８０Ａ，８０Ｂ，８０Ｃが固定される。つまり、第２縦桟は、簡易横桟９０によって第１縦桟に連結されているといえる。
【０１０２】
太陽光発電装置１０ｚでは、第１縦桟（縦桟８０Ａ，８０Ｂ，８０Ｃ）に支持される簡易横桟９０が異形モジュール１３の軒側端部および棟側端部を支持する。異形モジュール１３の重量の一部は簡易横桟９０を介して第１縦桟に作用し、第１縦桟によって支持される。太陽光発電装置１０ｚは、太陽光発電装置１０，１０ｙと同様に、標準モジュール１１またはハーフモジュール１２を支持する第１架台を利用して異形モジュール１３を支持する。このため、異形モジュール１３の下に設置されるアンカー１４の数を削減できる。
【０１０３】
簡易横桟９０は、異形モジュール１３の軒側端部および棟側端部に、屋根１の桁方向に沿って取り付けられる。１つの異形モジュール１３は、２本の簡易横桟９０に載置され、押え金具１３０を用いて各簡易横桟９０に固定される。例えば、異形モジュール１３の軒側端部が３箇所、棟側端部が１箇所で簡易横桟９０に固定される。また、簡易横桟９０は、異形モジュール１３に隣接配置される標準モジュール１１の軒側端部および棟側端部に取り付けられる。当該標準モジュール１１は、縦桟８０Ａと重なる位置で押え金具１３０を用いて簡易横桟９０に固定される。
【０１０４】
簡易横桟９０を支持する縦桟８０Ａ，８０Ｂ，８０Ｃには、少なくとも長手方向両端部にアンカー１４がそれぞれ固定され、好ましくは長手方向中間部にも１つのアンカー１４が固定される。縦桟８０Ｃには、２つのアンカー１４が固定される。この場合、異形モジュール１３の下には１つまたは２つのアンカー１４が設置され、標準モジュール１１の下には２つ〜４つのアンカー１４が設置される。
【０１０５】
図１７に例示するように、縦桟８０Ａは、アンカーボルト１６に固定される底板８１と、簡易横桟９０およびスペーサ８６が載せられる天板８２と、底板８１と天板８２を連結する側壁８３とを有し、幅方向断面が略コの字状を呈する。底板８１と天板８２は互いに平行に形成され、側壁８３は底板８１および天板８２に対して垂直に形成される。底板８１には、アンカーボルト１６を通すボルト挿通孔８５（図１９参照）が形成されている。天板８２には、簡易横桟９０およびスペーサ８６を固定するためのボルト１３１を通すボルト挿通孔８４が形成されている。なお、縦桟８０Ｂ，８０Ｃも、縦桟８０Ａと同じ幅方向断面形状を有する。
【０１０６】
スペーサ８６は、ボルト１３１を通すボルト挿通孔８７が形成された板状部材であって、簡易横桟９０が配置されない縦桟８０Ａと標準モジュール１１の間に設けられる。スペーサ８６は、簡易横桟９０と略同じ厚みを有し、簡易横桟９０が配置される部分と配置されない部分との高さを同じにする。スペーサ８６は、下方に延びる一対の延出部を有し、縦桟８０Ａの上部において縦桟８０Ａを幅方向両側から挟むように配置されてもよい。
【０１０７】
図１８および図１９に例示するように、簡易横桟９０は、細長い板状のベース部９１と、ベース部９１の幅方向中央部に立設した凸部９２とを有する。簡易横桟９０には、凸部９２の上端から凸部９２およびベース部９１を厚み方向に貫通して形成された、押え金具１３０を固定するためのボルト１３１を通すボルト挿通孔９３（横桟挿通孔）が形成されている。凸部９２は、ベース部９１の長手方向に沿って形成される。ボルト挿通孔９３は、押え金具１３０の設置の自由度を高めるため、簡易横桟９０の長手方向に長い長孔であることが好ましい。
【０１０８】
図１９は、標準モジュール１１と異形モジュール１３の境界位置における取り付け構造を示している。図１９に示すように、標準モジュール１１および異形モジュール１３は、簡易横桟９０の凸部９２を挟むようにベース部９１の上に配置される。ボルト１３１は、縦桟８０Ｃのボルト挿通孔８４および簡易横桟９０のボルト挿通孔９３に下から通され、軸が凸部９２の上端から上方に突出した状態でナット１３２ａを用いて簡易横桟９０に固定される。押え金具１３０は、標準モジュール１１の外鍔１２４および異形モジュール１３の外鍔１２４に跨るように配置され、ナット１３２ｂを用いてボルト１３１に固定される。各モジュールの外鍔１２４は、押え金具１３０によって上からベース部９１の上面に押え付けられる。
【０１０９】
上述のように、太陽光発電装置１０ｚでは、標準モジュール１１を支持する第１縦桟に連結された簡易横桟９０を用いて異形モジュール１３を支持する構造とすることで、異形モジュール１３の下に設置するアンカー１４の数を１つまたは２つにすることができる。これにより、従来の一般的な縦桟方式の架台を用いて異形モジュール１３を取り付ける場合と比べて、アンカー１４の数を削減することが可能であり、施工性が大幅に向上する。
【符号の説明】
【０１１０】
１  屋根、１ａ  軒、１ｂ  棟、１ｃ  隅棟、２  野地板、３  瓦、４  貫通孔、５  ボルト、１０，１０ｘ，１０ｙ，１０ｚ  太陽光発電装置、１１  標準モジュール、１１ａ，１２ａ，１３ａ  太陽電池パネル、１２  ハーフモジュール、１３  異形モジュール、１３ｂ  短辺、１３ｃ  長辺、１３ｄ  斜辺、１４  アンカー、１５  基板、１６  アンカーボルト、１７ａ，１７ｂ  ナット、１８  シール部材、１９  ネジ、２０  ハーフモジュール用ベース架台、２１，３１  底板、２２ａ，２２ｂ，３２ａ，３２ｂ，３２ｃ  側壁、２３，３３ａ，３３ｂ，３３ｃ  固定部、２４，３４  貫通孔、２５，３５  ボルト挿通孔（固定部側ボルト挿通孔）、３０  異形モジュール用ベース架台、３６  Ｌ字アングル、３７  連結ボルト、３８  連結ナット、４０，５０  架台フレーム、４１，５１  ベース部、４２  鉤部、４３，５５  ボルト挿通孔（フレーム側ボルト挿通孔）、４４  ボルト、４５  ピン、４６  ガイド溝、４７  ボルト固定板、４８  ネジ穴、５１ａ  壁部、５１ｂ  連結部、５２  ボルトガイド溝、５３  下鍔、５４  上鍔、５６  切欠き、１００，１２０  モジュールフレーム、１０１，１２１  フレーム本体、１０２，１２２  鉤部、１０３，１２３  内溝、１０４  底板、１０５  外溝、１０６  内鍔、１１０  第１金具、１１１  第２金具、１１２  第３金具、１２４  外鍔、１３０  押え金具、１３０ａ  貫通孔、１３０ｂ  突起、１３１  ボルト、１３２ａ，１３２ｂ  ナット、１４０  受け金具、１４１  挿通孔、１４２  斜辺、１４３  ピン挿通孔
【０１１１】
６０  第１縦桟、６１  下フレーム、６２，７１  底板、６３，７３  側壁、６４  支持部、６５Ａ  上フレーム、６５Ｂ  第２縦桟、６６Ａ，６６Ｂ  ベース部、６７Ａ  脚部、６８Ａ，６８Ｂ  鉤部、６９  ネジ、７０  横桟、７２  天板、７４  挿通孔、７５  係合部、７６  スペーサ、７７  ジョイント金具、７８  ボルト、７９  ナット
【０１１２】
８０Ａ，８０Ｂ，８０Ｃ  縦桟、８１  底板、８２  天板、８３  側壁、８４，８５，８７，９３  ボルト挿通孔、８６  スペーサ、９０  簡易横桟、９１  ベース部、９２  凸部
【図１】
2019167746.tif 000003
【図２】
2019167746.tif 000004
【図３】
2019167746.tif 000005
【図４】
2019167746.tif 000006
【図５】
2019167746.tif 000007
【図６】
2019167746.tif 000008
【図７】
2019167746.tif 000009
【図８】
2019167746.tif 000010
【図９】
2019167746.tif 000011
【図１０】
2019167746.tif 000012
【図１１】
2019167746.tif 000013
【図１２】
2019167746.tif 000014
【図１３】
2019167746.tif 000015
【図１４】
2019167746.tif 000016
【図１５】
2019167746.tif 000017
【図１６】
2019167746.tif 000018
【図１７】
2019167746.tif 000019
【図１８】
2019167746.tif 000020
【図１９】
2019167746.tif 000021